(57)【要約】【課題】本発明は遠隔制御装置に関し、無線遠隔制御技術分野に属する。【解決手段】該遠隔制御装置は、体温発電モジュール、中央処理装置、ボタンモジュール及び無線周波数モジュールが設置されているケーシングを含み、体温発電モジュールは、それぞれ中央処理装置、ボタンモジュール及び無線周波数モジュールに接続され、中央処理装置は、ボタンモジュール及び無線周波数モジュールに接続され、体温発電モジュールは、２つの接合点によって閉回路を構成する材質が異なる２つの金属シートを含み、２つの接合点の温度差に基づいて熱起電力を形成し、熱起電力によって中央処理装置、ボタンモジュール及び無線周波数モジュールに電力を供給することができる発電ユニットを備える。本発明によって提供される遠隔制御装置は、乾電池などの外部電源を取付ける必要がなく、内蔵されている体温発電モジュールによってその他の機能モジュールに電力を供給することができるので、資源を節約するだけでなく、発電に必要なエネルギーが無公害の熱エネルギーであるため、環境汚染を避けることができる。【選択図】図１
2018513572.tif 000002
【特許請求の範囲】
【請求項１】
体温発電モジュール、中央処理装置、ボタンモジュール及び無線周波数モジュールが設置されているケーシングを含み、  前記体温発電モジュールは、それぞれ前記中央処理装置、前記ボタンモジュール及び前記無線周波数モジュールに接続され、前記中央処理装置は、前記ボタンモジュール及び前記無線周波数モジュールに接続され、
前記体温発電モジュールは、２つの接合点によって閉回路を構成する材質が異なる２つの金属シートを含み、前記２つの接合点の温度差に基づいて熱起電力を形成し、前記熱起電力によって前記中央処理装置、前記ボタンモジュール及び前記無線周波数モジュールに電力を供給することができる発電ユニットを備えることを特徴とする遠隔制御装置。
【請求項２】
前記体温発電モジュールに接続されるエネルギー蓄積モジュールをさらに含むことを特徴とする、請求項１に記載の遠隔制御装置。
【請求項３】
前記エネルギー蓄積モジュールは、蓄積用コンデンサであることを特徴とする、請求項２に記載の遠隔制御装置。
【請求項４】
前記エネルギー蓄積モジュールに接続され、点灯と消灯の２種類の状態を有するエネルギー表示灯をさらに含み、
前記エネルギー蓄積モジュール内に電気エネルギーが蓄積されていない場合、前記エネルギー表示灯は消灯状態になり、
前記エネルギー蓄積モジュール内に電気エネルギーが蓄積されている場合、前記エネルギー表示灯は点灯状態になることを特徴とする、請求項２に記載の遠隔制御装置。
【請求項５】
前記エネルギー蓄積モジュールに接続される汎用シリアルバス（ＵＳＢ）（登録商標）インターフェースをさらに含むことを特徴とする、請求項２に記載の遠隔制御装置。
【請求項６】
前記ボタンモジュールには、それぞれ前記遠隔制御装置の１つの機能を示す複数のボタンが設置されていることを特徴とする、請求項１に記載の遠隔制御装置。
【請求項７】
前記体温発電モジュールは、前記発電ユニットに接続される整流ユニット、及び一端が前記整流ユニットに接続され、他端がそれぞれ前記中央処理装置、前記ボタンモジュール及び前記無線周波数モジュールに接続される定電圧ユニットをさらに含むことを特徴とする、請求項１に記載の遠隔制御装置。
【請求項８】
前記発電ユニットにおける２つの金属シートは、チタン合金またはアルミニウム合金であることを特徴とする、請求項１に記載の遠隔制御装置。
【請求項９】
前記無線周波数モジュールは、ブルートゥース（登録商標）モジュール、ワイファイ（ＷｉＦｉ）（登録商標）モジュール、赤外線モジュール、近距離無線通信（ＮＦＣ）モジュールのいずれかを含むことを特徴とする、請求項１に記載の遠隔制御装置。
【請求項１０】
前記体温発電モジュールに接続されるスイッチ、及び前記スイッチに接続される照明ランプをさらに含むことを特徴とする、請求項１に記載の遠隔制御装置。
【発明の詳細な説明】
【技術分野】
【０００１】
本願は、２０１６年３月２４日に出願された中国特許出願番号２０１６１０１７３３１０．２に基づいて提出され、該中国特許出願の優先権を主張する。該中国特許出願の全ての内容は、本明細書中に参考として援用される。
【０００２】
本発明は、無線遠隔制御技術分野に関する。特に、遠隔制御装置に関する。
【背景技術】
【０００３】
現代生活において、テレビ、エアコン、ステレオなどの家電製品が多く使われている。使用者の便宜のために、出荷前に、メーカーは一般的にこれらの家電製品に遠隔制御装置を付けている。付けられた遠隔制御装置によって、短距離の範囲内でこれらの家電製品に対する制御を実現することができる。
【０００４】
従来の遠隔制御装置は、使用される場合、乾電池により電力が供給されるが、乾電池に蓄積される電気エネルギーが限られているため、使用者が定期的に交換しなければならず、資源の無駄使いが大きく、且つ、乾電池には、水銀、マンガン、カドミウム、鉛などの重金属が含まれているため、乾電池ケースの腐食に伴い、これらの重金属は徐々に土壌、地下水に浸透し、環境汚染を招いている。したがって、資源を節約し、環境を保護するために、新型の遠隔制御装置を開発することが急務である。
【発明の概要】
【課題を解決するための手段】
【０００５】
本発明の遠隔制御装置は、体温発電モジュール、中央処理装置、ボタンモジュール及び無線周波数モジュールが設置されているケーシングを含み、前記体温発電モジュールは、それぞれ前記中央処理装置、前記ボタンモジュール及び前記無線周波数モジュールに接続され、前記中央処理装置は、前記ボタンモジュール及び前記無線周波数モジュールに接続され、前記体温発電モジュールは、２つの接合点によって閉回路を構成する材質が異なる２つの金属シートを含み、前記２つの接合点の温度差に基づいて熱起電力を形成し、前記熱起電力によって前記中央処理装置、前記ボタンモジュール及び前記無線周波数モジュールに電力を供給する発電ユニットを備える。
【０００６】
本発明のもう一つの実施例において、前記遠隔制御装置は、前記体温発電モジュールに接続されるエネルギー蓄積モジュールをさらに含む。
【０００７】
本発明のもう一つの実施例において、前記エネルギー蓄積モジュールは、蓄積用コンデンサである。
【０００８】
本発明のもう一つの実施例において、前記遠隔制御装置は、前記エネルギー蓄積モジュールに接続され、点灯と消灯の２種類の状態を有するエネルギー表示灯をさらに含み、前記エネルギー蓄積モジュールに電気エネルギーが蓄積されていない場合、前記エネルギー表示灯は消灯状態になり、前記エネルギー蓄積モジュールに電気エネルギーが蓄積されている場合、前記エネルギー表示灯は点灯状態になる。
【０００９】
本発明のもう一つの実施例において、前記遠隔制御装置は、前記エネルギー蓄積モジュールに接続されるＵＳＢ（Ｕｎｉｖｅｒｓａｌ  Ｓｅｒｉａｌ  Ｂｕｓ（登録商標）、汎用シリアルバス）インターフェースをさらに含む。
【００１０】
本発明のもう一つの実施例において、前記ボタンモジュールには、それぞれ前記遠隔制御装置の１つの機能を示す複数のボタンが設置されている。
【００１１】
本発明のもう一つの実施例において、前記体温発電モジュールは、前記発電ユニットに接続される整流ユニット、及び一端が前記整流ユニットに接続され、他端がそれぞれ前記中央処理装置、前記ボタンモジュール及び前記無線周波数モジュールに接続される定電圧ユニットをさらに含む。
【００１２】
本発明のもう一つの実施例において、前記発電ユニットにおける２つの金属シートは、チタン合金またはアルミニウム合金である。
【００１３】
本発明のもう一つの実施例において、前記無線周波数モジュールは、ブルートゥース（登録商標）モジュール、ＷｉＦｉ（Ｗｉｒｅｌｅｓｓ  Ｆｉｄｅｌｉｔｙ（登録商標）、ワイファイ）モジュール、赤外線モジュール、ＮＦＣ（Ｎｅａｒ  Ｆｉｅｌｄ  Ｃｏｍｍｕｎｉｃａｔｉｏｎ、近距離無線通信）モジュールのいずれかを含む。
【００１４】
本発明のもう一つの実施例において、前記遠隔制御装置は、前記体温発電モジュールに接続されるスイッチ、及び前記スイッチに接続される照明ランプをさらに含む。
【発明の効果】
【００１５】
本発明の実施例により提供される技術的手段は、以下のような効果が期待できる。
【００１６】
本発明により提供される遠隔制御装置は、乾電池などの外部電源を取付ける必要がなく、内蔵されている体温発電モジュールによってその他の機能モジュールに電力を供給することができるので、資源を節約するだけでなく、発電に必要なエネルギーは無公害の熱エネルギーであるため、環境汚染を避けることができる。
【００１７】
以上の一般的な説明と後述の詳細な説明は、例示的且つ解釈的なものに過ぎず、本発明を限定するものではないことを理解すべきである。
【図面の簡単な説明】
【００１８】
添付の図面は、明細書に組み入れられて、本明細書の一部を構成し、本発明に適合する実施例を示し、明細書と共に本発明の原理を解釈するのに用いられる。
【図１】一例示的な実施例により示された遠隔制御装置の構造図である。
【図２】一例示的な実施例により示された体温発電モジュールの構造図である。
【図３】一例示的な実施例により示された発電ユニットの構造図である。
【図４】一例示的な実施例により示された遠隔制御装置の構造図である。
【図５】一例示的な実施例により示された遠隔制御装置の構造図である。
【図６】一例示的な実施例により示された遠隔制御装置の構造図である。
【図７】一例示的な実施例により示された遠隔制御装置の構造図である。
【発明を実施するための形態】
【００１９】
ここでは、例示的な実施例について、その実例を図面に示して詳しく説明する。以下の説明が図面に関わる場合、特別な説明がない限り、異なる図面における同じ符号は、同一又は類似の要素を示している。以下の例示的な実施例に記載された実施形態は、本発明と一致する全ての実施形態を代表するわけではない。反対に、それらは添付の特許請求の範囲に記載された本発明の一部の態様と一致する装置と方法の例に過ぎない。
【００２０】
現在用いられている遠隔制御装置の外部電源の交換による資源の浪費や環境汚染の問題を解決するために、本発明の実施例は、遠隔制御装置を提供する。該遠隔制御装置は、ゼーベック効果に基づき、2種類の異なる金属シートを接合して閉回路を構成し、閉回路の２つの接合点の温度が異なると、熱起電力が発生され、発生された熱起電力に基づいて遠隔制御装置に電力を供給する。図１を参照すると、該遠隔制御装置は、体温発電モジュール３、中央処理装置２、ボタンモジュール４及び無線周波数モジュール５が設置されているケーシング１を含む。
【００２１】
体温発電モジュール３は、それぞれ中央処理装置２、ボタンモジュール４及び無線周波数モジュール５に接続され、遠隔制御装置に電力を供給するのに用いられ、中央処理装置２は、ボタンモジュール４及び無線周波数モジュール５に接続され、遠隔制御装置の各機能モジュールの動作を制御するのに用いられ、ボタンモジュール４は、使用者のボタン操作を検出し、検出されたボタン操作を中央処理装置２に送信するのに用いられ、無線周波数モジュール５は、使用者のボタン操作に基づいて中央処理装置２で生成されたコマンドを遠隔制御装置とペアリングされている家電製品に送信するのに用いられる。
【００２２】
図２を参照すると、体温発電モジュール３は、発電ユニット３１を含む。図３を参照すると、発電ユニット３１は、材質が異なる２つの金属シート３１１及び３１２を含み、金属シート３１１と金属シート３１２の末端と先端を接合させることで第１接合点Ａ及び第２接合点Ｂを形成することができ、第１接合点Ａは把持領域内に位置し、第２接合点Ｂは把持領域の外に位置する。金属シート３１１及び金属シート３１２は、第１接合点Ａ及び第２接合点Ｂによって閉回路を構成し、使用者が遠隔制御装置を把持する場合、第１接合点Ａの温度は第２接合点Ｂの温度より高くなり、第１接合点Ａと第２接合点Ｂとの間に温度差が生じると、発電ユニット３１は熱起電力を生成し、生成された熱起電力によって接続されている中央処理装置２、ボタンモジュール４及び無線周波数モジュール５に電力を供給することができる。
【００２３】
具体的に応用する際の該遠隔制御装置の動作原理は、以下の通りである。
【００２４】
使用者が遠隔制御装置を使ってそれとペアリングされている家電製品を制御しようとする場合、使用者が遠隔制御装置を把持すると、把持領域内に位置する第１接合点Ａの温度が上昇し、第２接合点Ｂの温度より高くなり、第１接合点Ａと第２接合点Ｂとの間に熱起電力が生じられ、該熱起電力は、中央処理装置２、ボタンモジュール４及び無線周波数モジュール５に電力を供給することができる。ボタンモジュール４により使用者のボタン操作が検出された場合、検出されたボタン操作を中央処理装置２に送信し、中央処理装置２は、使用者によりタッチコントロールされたボタンに基づき、対応する制御コマンドを生成し、該制御コマンドを無線周波数モジュール５に送信し、無線周波数モジュール５により該制御コマンドを遠隔制御装置とペアリングされている家電製品に送信することにより、家電製品の制御を実現する。
【００２５】
本発明の実施例により提供される遠隔制御装置は、乾電池などの外部電源を取付ける必要がなく、内蔵されている体温発電モジュールによってその他の機能モジュールに電力を供給することができるので、資源を節約するだけでなく、発電に必要なエネルギーが無公害の熱エネルギーであるため、環境汚染を避けることができる。
【００２６】
図１に示された遠隔制御装置の構造をもとに、本発明のもう一つの実施例は遠隔制御装置を提供する。図４を参照すると、該遠隔制御装置は、体温発電モジュール３、中央処理装置２、ボタンモジュール４及び無線周波数モジュール５に接続される大容量の蓄積用コンデンサであるエネルギー蓄積モジュール６をさらに含む。本発明の実施例において、使用者が遠隔制御装置を把持すると、遠隔制御装置における体温発電モジュール３は、大きな熱起電力を発生し、該熱起電力の一部分は遠隔制御装置の各機能モジュールに電力を供給し、他の部分は蓄積モジュール６に蓄積されることができる。使用者の把持時間の増加に伴い、体温発電モジュール３により発生される熱起電力は次第に減少し、第１接合点Ａと第２接合点Ｂの温度が同じになると、体温発電モジュール３は電気エネルギーを発生させず、この場合、蓄積モジュール６が遠隔制御装置に電力を供給する。
【００２７】
図４に示された遠隔制御装置の構造をもとに、本発明の実施例はまた遠隔制御装置を提供する。図５を参照すると、該遠隔制御装置は、エネルギー蓄積モジュール６に接続されるエネルギー表示灯７をさらに含む。エネルギー表示灯７は、点灯と消灯の２種類の状態を有し、蓄積モジュール６に蓄積されている電気エネルギーを示すことができる。蓄積モジュール６内に電気エネルギーが蓄積されていない場合、エネルギー表示灯７は消灯状態になり、蓄積モジュール６内に電気エネルギーが蓄積されている場合、エネルギー表示灯７は点灯状態になる。
【００２８】
図５に示された遠隔制御装置の構造をもとに、本発明の実施例はまた遠隔制御装置を提供する。図６を参照すると、該遠隔制御装置は、エネルギー蓄積モジュール６に接続されるＵＳＢインターフェース８をさらに含み、ＵＳＢインターフェース８を介して電源に接続されると、蓄積モジュール６を充電させることができる。
【００２９】
使用者のボタン操作の検出を容易にするために、ボタンモジュール５には、それぞれ遠隔制御装置の１つの機能を示す複数のボタンがさらに設置され、各機能は遠隔制御装置とペアリングされている家電製品が１つの操作を実行するように制御する。例えば、家電製品がスマートスピーカーである場合、遠隔制御装置のボタンモジュールには、スマートスピーカーのオンまたはオフを制御することができる「スイッチボタン」、スマートスピーカーの状態切替を制御することができる「状態切替ボタン」、スマートスピーカーの音量調節などを制御することができる「音量調節ボタン」などが設置されている。
【００３０】
一般的に、体温発電モジュール３により生成される電気エネルギーは不安定であり、安定した直流電気エネルギーを得るために、該体温発電モジュール３は、発電ユニット３３に接続される整流ユニット３２、及び一端が整流ユニット３２に接続され、他端がそれぞれ中央処理装置２、ボタンモジュール４及び無線周波数モジュール５に接続される定電圧ユニット３３をさらに含む。
【００３１】
本発明のもう一つの実施例において、発電ユニット３１における２つの金属シートは、チタン合金であってもよく、例えば、金属シート３１１は、金属チタンと1種の金属の合金であり、別の金属シート３１２は、金属チタンともう1種の金属の合金である。発電ユニット３１における２つの金属シートは、アルミニウム合金であってもよく、例えば、金属シート３１１は、金属アルミニウムと１種の金属の合金であり、別の金属シート３１２は、金属アルミニウムともう1種の金属の合金である。
【００３２】
本発明のもう一つの実施例において、無線周波数モジュールは、ブルートゥースモジュール、ワイファイ（ＷｉＦｉ）モジュール、赤外線モジュール、近距離無線通信（ＮＦＣ）モジュールのいずれかひとつであってもよい。無線周波数モジュールは、中央処理装置から送信されたコマンドを受信すると、該コマンドをブルートゥース信号の形式で遠隔制御装置とペアリングされている家電製品に送信することができるし、該コマンドをＷｉＦｉ信号の形式で遠隔制御装置とペアリングされている家電製品に送信することもできるし、該コマンドを赤外線信号の形式で遠隔制御装置とペアリングされている家電製品に送信することもできるし、遠隔制御装置とペアリングされている家電製品とともに構築されたＮＦＣデータチャネルを介して該コマンドを家電製品に送信することもできる。
【００３３】
図６に示された遠隔制御装置の構造をもとに、本発明の実施例はまた遠隔制御装置を提供する。図７を参照すると、該遠隔制御装置は、体温発電モジュール３に接続されるスイッチ１０、及びスイッチ１０に接続され、使用者のために照明を提供する照明ランプ９をさらに含む。使用者がスイッチ１０の状態を観察しやすくするために、スイッチ１０は「オン」及び「オフ」の２つの状態に対応するタップ位置を有する。夜間に、使用者が遠隔制御装置を把持してスイッチ１０を「オン」のタップ位置に調整した場合、エネルギー蓄積モジュール６は照明ランプに電力を供給し、使用者のために照明を提供することができる。
【００３４】
本発明の実施例により提供される遠隔制御装置は、乾電池などの外部電源を取付ける必要がなく、内蔵されている体温発電モジュールによってその他の機能モジュールに電力を供給することができるので、資源を節約するだけでなく、発電に必要なエネルギーが無公害の熱エネルギーであるため、環境汚染を避けることができる。
【００３５】
当業者であれば、明細書を考慮しここに開示された発明を実践した上で、本発明のその他の実施態様を容易に想到できる。本願は、本発明の如何なる変形、用途又は適応的変化を含むことを意図しており、これらの変形、用途又は適応的変化は本発明の一般的な原理に準じており、本発明で開示されていない当該技術分野における一般的な知識又は慣用の技術的手段を含む。明細書と実施例は、例示的なものに過ぎず、本発明の実際の範囲と精神は、添付の特許請求の範囲によって決められる。
【００３６】
本発明は、上記の説明及び図面に示された正確な構造に限定されることなく、その要旨を逸脱しない範囲内で様々な修正や変更を行うことができる。本発明の範囲は、添付の特許請求の範囲によって制限される。
【符号の説明】
【００３７】
１、ケーシング、  ２、中央処理装置、  ３、体温発電モジュール、  ４、ボタンモジュール、  ５、無線周波数モジュール、  ６、エネルギー蓄積モジュール、  ７、エネルギー表示灯、  ８、ＵＳＢインターフェース、  ９、照明ランプ、  １０、スイッチ、  ３１、発電ユニット、  ３２、整流ユニット、  ３３、定電圧ユニット、  ３１１、１種の金属シート、  ３１２、もう1種の金属シート、  Ａ、第１接合点、  Ｂ、第２接合点
【図１】
2018513572.tif 000003
【図２】
2018513572.tif 000004
【図３】
2018513572.tif 000005
【図４】
2018513572.tif 000006
【図５】
2018513572.tif 000007
【図６】
2018513572.tif 000008
【図７】
2018513572.tif 000009
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
体温発電モジュール、中央処理装置、ボタンモジュール及び無線周波数モジュールが設置されているケーシングを含み、
前記体温発電モジュールは、それぞれ前記中央処理装置、前記ボタンモジュール及び前記無線周波数モジュールに接続され、前記中央処理装置は、前記ボタンモジュール及び前記無線周波数モジュールに接続され、
前記体温発電モジュールは、２つの接合点によって閉回路を構成する材質が異なる２つの金属シートを含み、前記２つの接合点の温度差に基づいて熱起電力を形成し、前記熱起電力によって前記中央処理装置、前記ボタンモジュール及び前記無線周波数モジュールに電力を供給することができる発電ユニットを備えることを特徴とする遠隔制御装置。
【請求項２】
前記体温発電モジュールに接続されるエネルギー蓄積モジュールをさらに含むことを特徴とする、請求項１に記載の遠隔制御装置。
【請求項３】
前記エネルギー蓄積モジュールは、蓄積用コンデンサであることを特徴とする、請求項２に記載の遠隔制御装置。
【請求項４】
前記エネルギー蓄積モジュールに接続され、点灯と消灯の２種類の状態を有するエネルギー表示灯をさらに含み、
前記エネルギー蓄積モジュール内に電気エネルギーが蓄積されていない場合、前記エネルギー表示灯は消灯状態になり、
前記エネルギー蓄積モジュール内に電気エネルギーが蓄積されている場合、前記エネルギー表示灯は点灯状態になることを特徴とする、請求項２に記載の遠隔制御装置。
【請求項５】
前記エネルギー蓄積モジュールに接続される汎用シリアルバス（ＵＳＢ）（登録商標）インターフェースをさらに含むことを特徴とする、請求項２に記載の遠隔制御装置。
【請求項６】
前記ボタンモジュールには、それぞれ前記遠隔制御装置の１つの機能を示す複数のボタンが設置されていることを特徴とする、請求項１に記載の遠隔制御装置。
【請求項７】
前記体温発電モジュールは、前記発電ユニットに接続される整流ユニット、及び一端が前記整流ユニットに接続され、他端がそれぞれ前記中央処理装置、前記ボタンモジュール及び前記無線周波数モジュールに接続される定電圧ユニットをさらに含むことを特徴とする、請求項１に記載の遠隔制御装置。
【請求項８】
前記発電ユニットにおける２つの金属シートは、チタン合金またはアルミニウム合金であることを特徴とする、請求項１に記載の遠隔制御装置。
【請求項９】
前記無線周波数モジュールは、ブルートゥース（登録商標）モジュール、ワイファイ（ＷｉＦｉ）（登録商標）モジュール、赤外線モジュール、近距離無線通信（ＮＦＣ）モジュールのいずれかを含むことを特徴とする、請求項１に記載の遠隔制御装置。
【請求項１０】
前記エネルギー蓄電モジュールに接続されるスイッチ、及び前記スイッチに接続される照明ランプをさらに含むことを特徴とする、請求項２に記載の遠隔制御装置。
【手続補正２】
【補正対象書類名】明細書
【補正対象項目名】００１４
【補正方法】変更
【補正の内容】
【００１４】
本発明のもう一つの実施例において、前記遠隔制御装置は、前記エネルギー蓄電モジュールに接続されるスイッチ、及び前記スイッチに接続される照明ランプをさらに含む。
【手続補正３】
【補正対象書類名】明細書
【補正対象項目名】００３０
【補正方法】変更
【補正の内容】
【００３０】
一般的に、体温発電モジュール３により生成される電気エネルギーは不安定であり、安定した直流電気エネルギーを得るために、該体温発電モジュール３は、発電ユニット３１に接続される整流ユニット３２、及び一端が整流ユニット３２に接続され、他端がそれぞれ中央処理装置２、ボタンモジュール４及び無線周波数モジュール５に接続される定電圧ユニット３３をさらに含む。
【手続補正４】
【補正対象書類名】明細書
【補正対象項目名】００３３
【補正方法】変更
【補正の内容】
【００３３】
図６に示された遠隔制御装置の構造をもとに、本発明の実施例はまた遠隔制御装置を提供する。図７を参照すると、該遠隔制御装置は、エネルギー蓄電モジュール６に接続されるスイッチ１０、及びスイッチ１０に接続され、使用者のために照明を提供する照明ランプ９をさらに含む。使用者がスイッチ１０の状態を観察しやすくするために、スイッチ１０は「オン」及び「オフ」の２つの状態に対応するタップ位置を有する。夜間に、使用者が遠隔制御装置を把持してスイッチ１０を「オン」のタップ位置に調整した場合、エネルギー蓄積モジュール６は照明ランプに電力を供給し、使用者のために照明を提供することができる。
【国際調査報告】
2018513572.tif 000010
2018513572.tif 000011
2018513572.tif 000012
2018513572.tif 000013